(57)【要約】【課題】操作性の向上を大いに図ることができるハンドル錠を提供すること。【解決手段】ラッチボルト５を開扉可能状態にする作動機構６を有する錠本体２と、扉面１ａ，１ｂに取り付けられる座１１，１２，１７，１８と、座にそれぞれ回転可能に枢支される揺動部材１３，１４，１９，２０と、扉面に対する引き又は押し動作により揺動部材を回動させる把手１５，２１と、揺動部材の回動に伴って作動機構を介してラッチボルトを開扉可能状態にする連動片１６，２２とを備え、引き側の把手１５を枢支する揺動部材１３，１４が、把手との枢支点Ｐ３，Ｐ４を、座との枢支点Ｐ１，Ｐ２の下方においてこの枢支点よりも扉面１ａに対して近接した位置に配置し、押し側の把手２１を枢支する揺動部材１９，２０が、把手との枢支点Ｐ７，Ｐ８を、座との枢支点Ｐ５，Ｐ６の下方においてこの枢支点よりも扉面１ｂに対して離間した位置に配置するように構成した。【選択図】図１
2007138585.tif 000002
【特許請求の範囲】
【請求項１】
ラッチボルトおよびこのラッチボルトを開扉可能状態にする作動機構を有し扉に組み付けられる錠本体と、内外の扉面の一方に取り付けられる第一および第二の座並びに他方に取り付けられる第三および第四の座と、第一乃至第四の座にそれぞれ回転可能に枢支される第一乃至第四揺動部材と、前記第一および第二の座の外側に設けられ前記第一および第二揺動部材に枢支されて扉面に対する引き動作により第一および第二揺動部材を回動させる引き側の把手と、前記第三および第四の座の外側に設けられ前記第三および第四揺動部材に枢支されて扉面に対する押し動作により第三および第四揺動部材を回動させる押し側の把手と、第一または第三揺動部材に連動し第一または第三揺動部材の回動に伴って前記作動機構を介してラッチボルトを開扉可能状態にする連動片とを備え、引き側の把手を枢支する第一および第二揺動部材がそれぞれ、引き側の把手との枢支点を、第一または第二の座との枢支点の下方において第一または第二の座との枢支点よりも前記扉面に対して近接した位置に有し、また、押し側の把手を枢支する第三および第四揺動部材がそれぞれ、押し側の把手との枢支点を、第三または第四の座との枢支点の下方において第三または第四の座との枢支点よりも前記扉面に対して離間した位置に有するように構成したことを特徴とするハンドル錠。
【請求項２】
前記引き側の把手を枢支する第一および第二揺動部材がそれぞれ、把手との枢支点および座との枢支点を結ぶ線分と、前記座との枢支点から鉛直下向きに延びる線とのなす角度が１０〜３０°の範囲内となるように回動し、また、前記押し側の把手を枢支する第三および第四揺動部材がそれぞれ、把手との枢支点および座との枢支点を結ぶ線分と、前記座との枢支点から鉛直下向きに延びる線とのなす角度が１０〜３０°の範囲内となるように回動するように構成した請求項１に記載のハンドル錠。
【請求項３】
前記第一および第二の座に固定され引き側の把手の一部を覆うカバーと、前記第三および第四の座に固定され押し側の把手の一部を覆うカバーとが設けられ、前記引き側の把手のカバーから露出した部分と当該カバーとを一体的に握ると引き側の把手の引き動作が行われ、前記押し側の把手のカバーから露出した部分と当該カバーとを一体的に握ると押し側の把手の押し動作が行われるように構成した請求項１または２に記載のハンドル錠。
【発明の詳細な説明】
【技術分野】
【０００１】
本発明は、ハンドル（把手）を開扉方向に引くか押す操作を行うだけで、ラッチ錠の解錠と開扉とを同時に行える所謂プッシュプル式のハンドル錠に関する。
【背景技術】
【０００２】
従来のこの種のハンドル錠として特許文献１に記載されたものがあり、その構造を図７に示す。この図に示すように、前記ハンドル錠は、ラッチボルト（図示せず）およびこのラッチボルトを後退させる作動機構（図示せず）を有し扉７１に組み付けられる錠本体７２と、扉面に取り付けられる第一および第二の座７３、７４と、第一の座７３に回転可能に枢支される第一揺動部材７５と、第二の座７４に回転可能に枢支される第二揺動部材７６と、前記第一および第二の座７３、７４の外側に設けられ前記第一および第二揺動部材７５、７６に枢支されて扉面に対する引きまたは押し動作により第一および第二揺動部材７５、７６を回動させる把手７７と、第一揺動部材７５に連動し第一揺動部材７５の回動に伴って前記作動機構を作動させラッチボルトを後退させる連動片７８とを備えている。
【０００３】
なお、図７において、７９は回動した第一、第二揺動部材７５、７６を元の位置に復帰させるキックばねである。
【０００４】
【特許文献１】特開平８−３３３９４３号公報
【発明の開示】
【発明が解決しようとする課題】
【０００５】
上記ハンドル錠では、第一および第二揺動部材７５、７６の延びる向きの角度θが、鉛直方向を０°としたときに約６０°以上となっていたので、把手７７を扉面に対して引き又は押し動作したときに、枢支点７３ａ，７４ａを軸として回動する当該把手７７が水平方向（開扉方向）に動く際に上下方向（開扉方向と垂直な方向）にも大きく（例えば５ｍｍ以上）動き、操作しにくいという問題があった。
【０００６】
また、上記ハンドル錠では、把手７７を掴んで開扉方向に引き又は押し動作したときに、その掴んだ位置が例えば把手７７の下端部である場合、把手７７が水平方向に平行移動せず枢支点７５ａを軸として時計方向または反時計方向に回動してしまい、開扉が正常になされないことがあった。すなわち、上記のように枢支点７５ａを軸として把手７７が回動すると、第一揺動部材７５が殆ど回動せず、従って、この第一揺動部材７５の回動に連動片７８を介して連動する作動機構がラッチボルトを後退させることもなく、その結果、ラッチ錠の解錠が行われないことになる。
【０００７】
この発明は上述の事柄に留意してなされたもので、その目的は、操作性の向上を大いに図ることができるハンドル錠を提供することである。
【課題を解決するための手段】
【０００８】
上記目的を達成するために、この発明のハンドル錠は、ラッチボルトおよびこのラッチボルトを開扉可能状態にする作動機構を有し扉に組み付けられる錠本体と、内外の扉面の一方に取り付けられる第一および第二の座並びに他方に取り付けられる第三および第四の座と、第一乃至第四の座にそれぞれ回転可能に枢支される第一乃至第四揺動部材と、前記第一および第二の座の外側に設けられ前記第一および第二揺動部材に枢支されて扉面に対する引き動作により第一および第二揺動部材を回動させる引き側の把手と、前記第三および第四の座の外側に設けられ前記第三および第四揺動部材に枢支されて扉面に対する押し動作により第三および第四揺動部材を回動させる押し側の把手と、第一または第三揺動部材に連動し第一または第三揺動部材の回動に伴って前記作動機構を介してラッチボルトを開扉可能状態にする連動片とを備え、引き側の把手を枢支する第一および第二揺動部材がそれぞれ、引き側の把手との枢支点を、第一または第二の座との枢支点の下方において第一または第二の座との枢支点よりも前記扉面に対して近接した位置に有し、また、押し側の把手を枢支する第三および第四揺動部材がそれぞれ、押し側の把手との枢支点を、第三または第四の座との枢支点の下方において第三または第四の座との枢支点よりも前記扉面に対して離間した位置に有するように構成したことを特徴としている（請求項１）。
【０００９】
また、上記ハンドル錠において、前記引き側の把手を枢支する第一および第二揺動部材がそれぞれ、把手との枢支点および座との枢支点を結ぶ線分と、前記座との枢支点から鉛直下向きに延びる線とのなす角度が１０〜３０°の範囲内となるように回動し、また、前記押し側の把手を枢支する第三および第四揺動部材がそれぞれ、把手との枢支点および座との枢支点を結ぶ線分と、前記座との枢支点から鉛直下向きに延びる線とのなす角度が１０〜３０°の範囲内となるように回動するように構成することが好ましい（請求項２）。
【００１０】
さらに、上記ハンドル錠において、前記第一および第二の座に固定され引き側の把手の一部を覆うカバーと、前記第三および第四の座に固定され押し側の把手の一部を覆うカバーとが設けられ、前記引き側の把手のカバーから露出した部分と当該カバーとを一体的に握ると引き側の把手の引き動作が行われ、前記押し側の把手のカバーから露出した部分と当該カバーとを一体的に握ると押し側の把手の押し動作が行われるように構成してもよい（請求項３）。
【発明の効果】
【００１１】
請求項１に係る発明では、第一乃至第四揺動部材のそれぞれにおいて、座との枢支点と把手との枢支点との位置関係が上記のように決められるので、把手のいずれの位置を掴んでも、把手が水平方向に平行移動せず第一揺動部材による枢支点を軸として時計方向または反時計方向に回動してしまい、開扉が正常になされないということが起こらない。
【００１２】
また、請求項２に係る発明では、第一乃至第四揺動部材のそれぞれの回動角度を上記のように制限するので、把手を扉面に対して引き又は押し動作したときに、当該把手が水平方向（開扉方向）に動く際に上下方向（開扉方向と垂直な方向）には殆ど動かない。
【００１３】
従って、請求項１、２に係る発明では、操作性の向上を大いに図ることができるハンドル錠が得られる。
【００１４】
さらに、請求項３に係る発明では、引き側または押し側の把手とカバーとを一体的に握るだけで、把手を扉面に対して引きまたは押し動作することができ、開扉をより簡単かつ快適に行うことができるという効果をも奏するハンドル錠が得られる。
【発明を実施するための最良の形態】
【００１５】
図１は、本発明の一実施の形態に係るハンドル錠を装着した扉の構成を概略的に示す要部縦断正面図、図２は、錠ケース３の一部を破断して示した前記ハンドル錠の正面図、図３は、ラッチボルト５が反転する状態を概略的に示す平面図である。
【００１６】
図１〜図３に示すように、前記ハンドル錠は、扉枠にヒンジを介して取り付けられる扉（例えば外開きタイプの扉）１の開放端側に取り付け（組み付け）られる錠本体２を備えている。
【００１７】
前記錠本体２は、図２および図３に示すように、扉１の開放端側に埋設される錠ケース３を有し、この錠ケース３には、ばね４を介して出没自在に嵌装されるラッチボルト５と、このラッチボルト５を開扉不能状態から開扉可能状態にする作動機構６とを備えたラッチ錠が設けられている。
【００１８】
前記作動機構６は、初期状態ではラッチボルト５を図３において実線で示す状態（反転不能状態であり開扉不能状態）にロックし、図２に示す一方のスライダー７の下動または他方のスライダー８の上動に伴って前記ロックを解除するもので、このようにロックが解除されると前記ラッチボルト５は開扉（反転）可能状態となる。そして、この開扉可能状態のラッチボルト５に開扉方向の力が作用すると、ラッチボルト５は図３において二点鎖線で示す状態に自動的に反転するため、開扉がラッチボルト５により妨げられることなく確実になされることになる。
【００１９】
上述のように、前記作動機構６を備えたこの実施形態のラッチ錠はいわゆる反転式のラッチボルトを用いるものであり、特開２０００−２９１３０８号公報に詳述されているラッチ錠と同一であるので、その構成についてのより詳細な説明は省略する。
【００２０】
また、前記錠ケース３には、図２に示すように、前記ラッチ錠の他に、キーによるシリンダー９の操作、又は室内側のサムターン（図示せず）の操作によって施解錠されるデッドボルト１０を有する施錠機構部（図示せず）が設けられているが、これも公知の構成のものであるので、その詳細な説明は省略する。
【００２１】
図１に示すように、一方（室外側）の扉面１ａには、第一の座１１と、この第一の座１１の下方に位置する第二の座１２とが取り付けられている。そして、第一の座１１には略Ｌ字状の第一揺動部材１３の略中央部１３ａがピンＰ１にて回転可能に枢支され、第二の座１２には略一の字状の第二揺動部材１４の一端部１４ａがピンＰ２にて回転可能に枢支されている。
【００２２】
また、扉面１ａに取り付けられた第一の座１１および第二の座１２の外側には把手１５が設けられており、この把手１５は、前記第一揺動部材１３の一端部１３ｂおよび第二揺動部材１４の他端部１４ｂにそれぞれピンＰ３，Ｐ４にて枢支されている。従って、把手１５を扉面１ａに対して矢印イ方向へ引き動作すると、第一揺動部材１３は、この第一揺動部材１３と第一の座１１との枢支点であるＰ１を支点として反時計方向に回動し、第二揺動部材１４は、この第二揺動部材１４と第二の座１２との枢支点であるＰ２を支点として反時計方向に回動する。
【００２３】
さらに、第一揺動部材１３の他端側には連動片１６が連設されており、この連動片１６は、第一揺動部材１３が上記の反時計方向の回動をしたときに、これに連動して同じく枢支点Ｐ１を支点として反時計方向に回動する。そして、このとき、略水平に延びる連動片１６の先端部は下動して前記一方のスライダー７（図２参照）を押し下げることになる。そして、この押し下げにより一方のスライダー７が下動すると、このスライダー７を有する前記作動機構６の働きにより、上述したようにラッチボルト５が前記開扉可能状態となる。
【００２４】
また、他方（室内側）の扉面１ｂには、第三の座１７と、この第三の座１７の下方に位置する第四の座１８とが取り付けられている。そして、第三の座１７には略Ｌ字状の第三揺動部材１９の略中央部１９ａがピンＰ５にて回転可能に枢支され、第四の座１８には略一の字状の第四揺動部材２０の一端部２０ａがピンＰ６にて回転可能に枢支されている。
【００２５】
そして、扉面１ｂに取り付けられた第三の座１７および第四の座１８の外側には把手２１が設けられており、この把手２１は、前記第三および第四揺動部材１９，２０のそれぞれ他端部にピンＰ７，Ｐ８にて枢支されている。従って、把手２１を扉面１ｂに対して矢印ロ方向へ押し動作すると、第三揺動部材１９は、この第三揺動部材１９と第三の座１７との枢支点であるＰ５を支点として反時計方向に回動し、第四揺動部材２０は、この第四揺動部材２０と第四の座１８との枢支点であるＰ６を支点として反時計方向に回動する。
【００２６】
さらに、第三揺動部材１９の他端側には連動片２２が連設されており、この連動片２２は、第三揺動部材１９が上記の反時計方向の回動をしたときに、これに連動して同じく枢支点Ｐ５を支点として反時計方向に回動する。このとき、略水平に延びる連動片２２の先端部は上動して前記他方のスライダー８（図２参照）を押し上げることになる。そして、この押し上げにより他方のスライダー８が上動すると、このスライダー８を有する前記作動機構６の働きにより、上述したようにラッチボルト５が前記開扉可能状態となる。
【００２７】
なお、図１において、２３は第一乃至第四揺動部材１３，１４，１９，２０を元の位置に復帰させる付勢手段としてのキックばねである。
【００２８】
また、図１〜図４において、２４〜２７はストッパであり、ストッパ２４，２５は、把手１５を矢印イ方向に引き動作したときに枢支点Ｐ１，Ｐ２を支点として反時計方向に回動する第一および第二揺動部材１３，１４に当接し、その回動を適宜の位置で停止させ、ストッパ２６，２７は、把手２１を矢印ロ方向に押し動作したときに枢支点Ｐ５，Ｐ６を支点として反時計方向に回動する第三および第四揺動部材１９，２０に当接し、その回動を適宜の位置で停止させるように構成されている。
【００２９】
そして、本発明は、以下の構成に特徴を有している。
【００３０】
まず、室外側のハンドル錠の特徴的構成について説明すると、図１に示すように、前記第一揺動部材１３と引き側の把手１５との枢支点Ｐ３が、第一揺動部材１３と第一の座１１との枢支点Ｐ１の下方においてこの枢支点Ｐ１よりも前記扉面１ａに対して近接した位置に配置されている。同様に、前記第二揺動部材１４と引き側の把手１５との枢支点Ｐ４が、第二揺動部材１４と第二の座１２との枢支点Ｐ２の下方においてこの枢支点Ｐ２よりも前記扉面１ａに対して近接した位置に配置されている。
【００３１】
さらに、前記引き側の把手１５を枢支する第一揺動部材１３は、枢支点Ｐ３および枢支点Ｐ１を結ぶ線分と、枢支点Ｐ１から鉛直下向きに延びる線とのなす角度αが１０〜３０°の範囲（この実施形態では１０〜２０°の範囲）内となるように、枢支点Ｐ１を支点として反時計方向または時計方向に回動するように構成されている。同様に、把手１５を枢支する第二揺動部材１４は、枢支点Ｐ４および枢支点Ｐ２を結ぶ線分と、枢支点Ｐ２から鉛直下向きに延びる線とのなす角度βが１０〜３０°の範囲（この実施形態では１０〜２０°の範囲）内となるように、枢支点Ｐ２を支点として反時計方向または時計方向に回動するように構成されている。なお、この実施形態では、前記角度αおよびβの大きさが常に略同一となる。
【００３２】
次に、室内側のハンドル錠の特徴的構成について説明すると、図１に示すように、前記第三揺動部材１９と押し側の把手２１との枢支点Ｐ７が、第三揺動部材１９と第三の座１７との枢支点Ｐ５の下方においてこの枢支点Ｐ５よりも前記扉面１ｂに対して離間した位置に配置されている。同様に、前記第四揺動部材２０と押し側の把手２１との枢支点Ｐ８が、第四揺動部材２０と第四の座１８との枢支点Ｐ６の下方においてこの枢支点Ｐ６よりも前記扉面１ｂに対して離間した位置に配置されている。
【００３３】
さらに、前記押し側の把手２１を枢支する第三揺動部材１９は、枢支点Ｐ７および枢支点Ｐ５を結ぶ線分と、枢支点Ｐ５から鉛直下向きに延びる線とのなす角度γが１０〜３０°の範囲（この実施形態では１０〜２０°の範囲）内となるように、枢支点Ｐ５を支点として反時計方向または時計方向に回動するように構成されている。同様に、把手２１を枢支する第四揺動部材２０は、枢支点Ｐ８および枢支点Ｐ６を結ぶ線分と、枢支点Ｐ６から鉛直下向きに延びる線とのなす角度δが１０〜３０°の範囲（この実施形態では１０〜２０°の範囲）内となるように、枢支点Ｐ６を支点として反時計方向または時計方向に回動するように構成されている。なお、この実施形態では、前記角度γおよびδの大きさが常に略同一となる。
【００３４】
次に、前記ハンドル錠の作動について説明する。まず、閉扉状態にあっては、図１に示すように、扉内外の連動片１６，２２は水平の状態にあり、ラッチボルト５は上記反転不能状態にある。
【００３５】
そして、引き側の把手１５を握って手前（図１の矢印イ方向）に引き動作すると、把手１５の枢支点は決まっているので、図４に示すように、把手１５は扉面１ａと平行状態の儘扉面から離れ、第一および第二揺動部材１３，１４が枢支点Ｐ１，Ｐ２を支点として図４において反時計方向に揺動（回動）する。これにより、第一揺動部材１３と一体の連動片１６がラッチ錠のスライダー７を押し下げるので、ラッチボルト５が開扉可能状態となり、把手１５を引く動作でラッチボルト５が後退し、開扉する。
【００３６】
このとき、例えば把手１５の下端部を図１の矢印イ方向に引き動作しても、前記従来のハンドル錠のように、把手１５が枢支点Ｐ１を軸として反時計方向に回動し、第一揺動部材１３が回動せず開扉が正常になされないというようなことはない。これは、上述したように、第一および第二揺動部材１３，１４が、枢支点Ｐ３，Ｐ４を、枢支点Ｐ１，Ｐ２の下方において枢支点Ｐ１，Ｐ２よりも前記扉面１ａに対して近接した位置に有すると共に、前記角度α，βが１０〜３０°の範囲内となるように回動するように構成されているので、第一または第二揺動部材１３，１４のいずれか一方が把手１５の引き動作に伴って上記反時計方向の回動をすると、他方も必然的に同じく上記反時計方向の回動をするからである。
【００３７】
その後、把手１５から手を離すと、ラッチボルト５を付勢するばね４や、第一揺動部材１３、第二揺動部材１４を付勢するキックばね２３の作用により、ラッチボルト５は元の反転不能状態に、また、把手１５は図１に示す元の状態にそれぞれ復帰する。
【００３８】
次に、閉扉状態において押し側の把手２１を図１の矢印ロ方向に押すと、把手２１の枢支点は決まっているので、図５に示すように、把手２１は扉面１ｂと平行状態の儘扉面から離れ、第一および第二揺動部材１９，２０が枢支点Ｐ５，Ｐ６を支点として図５において反時計方向に揺動（回動）する。これにより、第一揺動部材１９と一体の連動片２２がラッチ錠のスライダー８を押し上げるので、ラッチボルト５が開扉可能状態となり、把手２１を引く動作でラッチボルト５が後退し、開扉する。
【００３９】
このとき、例えば把手２２の下端部を図１の矢印ロ方向に押し動作しても、前記従来のハンドル錠のように、把手２２が枢支点Ｐ５を軸として反時計方向に回動し、第三揺動部材１９が回動せず開扉が正常になされないというようなことはない。これは、上述したように、第三および第四揺動部材１９，２０が、枢支点Ｐ７，Ｐ８を、枢支点Ｐ５，Ｐ６の下方において枢支点Ｐ５，Ｐ６よりも前記扉面１ｂに対して離間した位置に有すると共に、前記角度γ，δが１０〜３０°の範囲内となるように回動するように構成されているので、第三または第四揺動部材１９，２０のいずれか一方が把手２１の押し動作に伴って上記反時計方向の回動をすると、他方も必然的に同じく上記反時計方向の回動をするからである。
【００４０】
その後、把手２１から手を離すと、ラッチボルト５を付勢するばね４や、第三揺動部材１９、第四揺動部材２０を付勢するキックばね２３の作用により、ラッチボルト５は元の反転不能状態に、また、把手２１は図１に示す元の状態にそれぞれ復帰する。
【００４１】
ここで、構造上、把手１５，２１はその引き又は押し動作に伴って水平移動すると共に下動するが、下動幅は最大でも１．５ｍｍ程度と微小なものであるので、引き又は押し動作に何ら影響を及ぼすことはない。
【００４２】
また、構造上、把手１５の下端部を引き動作した場合、把手１５の下端部の水平移動幅に比べて上端部の水平移動幅が小さくなることは避け難いが、その結果、第一揺動部材１３および連動片１６の回動が不十分となってラッチボルト５が反転可能状態とならず、開扉方向の力が作用してもラッチボルト５が後退しなければ開扉に支障をきたす。そこで、本実施形態では、把手１５の引き動作に伴い第二揺動部材１４が枢支点Ｐ２を支点として反時計方向に回動し、ストッパ２５に当接した状態では、第一揺動部材１３および連動片１６の回動が十分行われてラッチボルト５が反転可能状態となっているように、前記ストッパ２５の位置を決めている。これにより、把手１５の下端部を引き動作したときであっても、把手１５の上端部の水平移動幅が少なくとも必要最低限確保され、第一揺動部材１３および連動片１６の回動が十分に行われてラッチボルト５が反転可能状態となるので、開扉に支障をきたすことがない。
【００４３】
なお、把手１５の上端部を引き動作した場合には、把手１５の上端部の水平移動幅に比べて下端部の水平移動幅が小さくなるが、これにより、第二揺動部材１４の回動角度が小さくなっても、第二揺動部材１４の回動はラッチボルト５の操作とは直接関係していないので、開扉に支障はきたさない。従って、把手１５の引き動作に伴い第一揺動部材１３が反時計方向に回動してストッパ２４に当接した状態では、第一揺動部材１３および連動片１６の回動が十分行われてラッチボルト５が反転可能状態となっているように、前記ストッパ２４の位置を決めればよく、構造上、扉面１ａからストッパ２４までの距離を、扉面１ａからストッパ２５までの距離より小さくすることができる。そして、このように構成した場合には、扉面１ａからストッパ２４までの距離とストッパ２５までの距離とを同一とした場合に比べて、把手１５の中央部または上端部を矢印イ方向に引き動作したときに第一揺動部材１３がストッパ２４に早く当接することになり、開扉に必要な把手１５の移動幅が小さくなって操作性が向上することになる。
【００４４】
そして、ストッパ２４，２５について前述したことは、第三および第四揺動部材１９，２０の回動を適宜の位置で停止させるためのストッパ２６，２７についても同様に当てはまるのであり、これらの重複する説明については省略する。そして、前記ストッパ２４をストッパ２５よりも扉面１ａに近接した位置に設けたのと同様の理由から、前記ストッパ２６をストッパ２７よりも扉面１ｂから離間した位置に設けている。すなわち、ストッパ２６をストッパ２７よりも扉面１ｂから離間した位置に設けた場合には、扉面１ｂからストッパ２６までの距離とストッパ２７までの距離とを同一とした場合に比べて、把手２１の中央部または上端部を矢印ロ方向に押し動作したときに第三揺動部材１９がストッパ２６に早く当接することになり、開扉に必要な把手２１の移動幅が小さくなって操作性が向上することになる。
【００４５】
なお、この発明は上記の実施の形態に限られず、種々に変形して実施することができる。例えば、上記実施の形態では、ラッチボルト５を開扉（反転）可能状態にする作動機構６を有する反転式のラッチ錠を用いているが、これに代えて、ラッチボルト５を後退させることによりこれを開扉可能状態にする作動機構を有するラッチ錠を用いてもよい。そのようなラッチ錠としては、例えば、特開平８−３３３９４３号公報に記載されるラッチ錠、すなわち、ハブが回転してラッチボルトを後退させ、前記ハブは第一揺動部材の連動片（作動板）または第二揺動部材の連動片（作動板）の上動または下動によって回転するラッチ錠を挙げることができる。
【００４６】
また、上記実施の形態では、把手１５，２１のみを引き又は押し動作するように構成されているが、例えば、図６に示すように、第一および第二の座１１，１２に固定されるカバー２８によって把手１５を覆うと共に、第三および第四の座１７，１８に固定されるカバー２９によって把手２１を覆い、把手１５，２１およびカバー２８，２９を一体的に握って引き又は押し動作することができるように構成してもよい。この場合、把手１５，２１およびカバー２８，２９を握ると、カバー２８，２９に対して把手１５，２１は矢印イ，ロ方向に作動し、把手１５，２１が図１に示す状態から図４または図５に示す状態となり、ラッチボルト５は反転可能状態となる。そして、そのまま把手１５，２１およびカバー２８，２９を引き又は押し動作すると開扉する。
【図面の簡単な説明】
【００４７】
【図１】本発明の一実施の形態に係るハンドル錠を装着した扉の構成を概略的に示す要部縦断正面図である。
【図２】上記実施の形態における錠ケースの一部を破断して示したハンドル錠の正面図である。
【図３】上記実施の形態においてラッチボルトが反転する状態を概略的に示す平面図である。
【図４】上記実施の形態において引き側の把手を引き動作したときの前記扉の状態を概略的に示す要部縦断正面図である。
【図５】上記実施の形態において押し側の把手を押し動作したときの前記扉の状態を概略的に示す要部縦断正面図である。
【図６】上記実施の形態における扉の変形例の構成を概略的に示す要部縦断正面図である。
【図７】従来のハンドル錠を装着した扉の構成を概略的に示す要部縦断正面図である。
【符号の説明】
【００４８】
１    扉
１ａ  扉面
１ｂ  扉面
２    錠本体
５    ラッチボルト
６    作動機構
１１    第一の座
１２    第二の座
１３    第一揺動部材
１４    第二揺動部材
１５    把手
１６    連動片
１７    第三の座
１８    第四の座
１９    第三揺動部材
２０    第四揺動部材
２１    把手
２２    連動片
Ｐ１〜Ｐ８    枢支点
【図１】
2007138585.tif 000003
【図２】
2007138585.tif 000004
【図３】
2007138585.tif 000005
【図４】
2007138585.tif 000006
【図５】
2007138585.tif 000007
【図６】
2007138585.tif 000008
【図７】
2007138585.tif 000009